(57)【要約】【課題】光ファイバなどのコードが付された光モジュールを、確実かつ簡単に挿入できる光配線用コネクタを提供する。【解決手段】本発明の光配線用コネクタは、本体と蓋部とで構成され、光ファイバの先端に取り付けられた光モジュールのモジュール端子と電気的に接続される。本発明の光配線用コネクタの蓋部は、光モジュールを保持する保持部と、本体に対する蓋部の角度を変更できるように形成された蓋回転部と、蓋部を本体に固定するための蓋固定部とを具備する。本発明の光配線用コネクタの本体は、蓋回転部を回動できるように支持する本体回転部と、蓋固定部と互いに固定しあうことができる本体固定部と、蓋固定部と本体固定部とが固定しあっているときに前記モジュール端子と接触するように形成された導電体とを具備する。【選択図】図２
2010170862.tif 000002
【特許請求の範囲】
【請求項１】
本体と蓋部とで構成され、光ファイバの先端に取り付けられた光モジュールのモジュール端子と電気的に接続される光配線用コネクタであって、
前記光モジュールを保持する保持部と、本体に対する蓋部の角度を変更できるように形成された蓋回転部と、当該蓋部を前記本体に固定するための蓋固定部とを具備する蓋部と、
前記蓋回転部を回動できるように支持する本体回転部と、前記蓋固定部と互いに固定しあうことができる本体固定部と、前記蓋固定部と前記本体固定部とが固定しあっているときに前記モジュール端子と接触するように形成された導電体とを具備する本体と、
を備える光配線用コネクタ。
【請求項２】
請求項１記載の光配線用コネクタであって、
前記光モジュールは略直方体であって、前記保持部は前記光モジュールの上部の面を覆う蓋上面と２つの側面とを覆う２つの蓋側面とを有し、
前記蓋固定部は、２つの蓋側面に形成された２つの穴であり、
前記本体固定部は、前記穴にそれぞれ挿入される２つの爪である
ことを特徴とする光配線用コネクタ。
【請求項３】
前面、後面、上面、底面、２つの側面を有する直方体状であり、後面に光ファイバが接続され、前面またはその近傍に電気的な入出力端子であるモジュール端子を有する光モジュールと、電気的に接続するための光配線用コネクタであって、
本体と蓋部とを備え、
前記蓋部は、
前記光モジュールの上面を覆う蓋上面、前記光モジュールの２つの側面を覆う２つの蓋側面、前記光モジュールの底面の一部と接触する蓋底面位置決め手段とで前記光モジュールを保持する保持部と、前記モジュール端子の近傍に形成された蓋回転部と、前記本体に固定するための蓋固定部とを具備し、
前記本体は、
前記蓋回転部を回動できるように支持する本体回転部と、前記蓋固定部と互いに保持しあうことで前記蓋部を固定する本体固定部と、前記蓋固定部と前記本体固定部とが固定しあっているときに前記モジュール端子と接触するように形成された導電体とを具備し、
前記蓋部を開いた状態で前記光モジュールを前記保持部に挿入し、前記蓋部を閉じることで、前記モジュール端子と前記導電体とが電気的に接触し、かつ、前記本体固定部と前記蓋固定部とによって閉じた状態が維持される
ことを特徴とする光配線用コネクタ。
【請求項４】
請求項３記載の光配線用コネクタであって、
前記蓋固定部は、前記保持部の２つの蓋側面に形成された２つの穴であり、
前記本体固定部は、前記穴にそれぞれ挿入される２つの爪である
ことを特徴とする光配線用コネクタ。
【請求項５】
請求項３または４記載の光配線用コネクタであって、
前記蓋上面には、閉じた状態のときに前記モジュール端子を前記導電体に押し付けるための押圧部が形成されている
ことを特徴とする光配線用コネクタ。
【請求項６】
請求項３から５のいずれかに記載の光配線用コネクタであって、
前記導電体が複数あり、
前記導電体の前記モジュール端子と接触する部分が、すべて前記蓋部の回転の軸から等しい距離に配置されている
ことを特徴とする光配線用コネクタ。
【請求項７】
請求項１から６のいずれかに記載の光配線用コネクタであって、
前記本体は、前記光ファイバを保持するための光ファイバガイドも具備する
ことを特徴とする光配線用コネクタ。
【発明の詳細な説明】
【技術分野】
【０００１】
本発明は、光配線と電気配線とを変換する部分に用いる光配線用コネクタに関する。
【背景技術】
【０００２】
携帯端末の内部のように同軸細線ケーブルが数１０本使用されるような場合には、光配線によって配線を簡素化する要求がある。また、光信号は電磁ノイズに強いという特性があるので、電気信号が密集する部分の配線を光配線に変更することで、ノイズに強い配線にできる。このような光配線では、光ファイバなどを伝わる光信号を電気信号に変換する光モジュールがある。そして、光モジュールの電気的な入出力端子（以下、「モジュール端子」という）と電気的に接続するための光配線用コネクタとして、特許文献１に記載された技術などがある。
【先行技術文献】
【特許文献】
【０００３】
【特許文献１】特開２００７−２５８１４４号公報
【発明の概要】
【発明が解決しようとする課題】
【０００４】
しかし、特許文献１などの従来技術は、端子モジュールと対応した位置に導電体を配置した光配線用コネクタ（光配線用コネクタの本体）に、光モジュールを直接挿入していた。光モジュールを直接挿入すると、挿入する時に光モジュールが傾くことがある。そして、導電体が変形してしまうなどの課題があった。
【０００５】
本発明はこのような課題を解決するためになされたものであり、光ファイバなどのコードが付された光モジュールを、確実かつ簡単に挿入できる光配線用コネクタを提供することにある。
【課題を解決するための手段】
【０００６】
本発明の光配線用コネクタは、本体と蓋部とで構成され、光ファイバの先端に取り付けられた光モジュールのモジュール端子と電気的に接続される。光モジュールは、例えば、前面、後面、上面、底面、２つの側面を有する直方体状であり、後面に光ファイバが接続され、前面またはその近傍に電気的な入出力端子であるモジュール端子を有する。
【０００７】
本発明の光配線用コネクタの蓋部は、光モジュールを保持する保持部と、本体に対する蓋部の角度を変更できるように形成された蓋回転部と、蓋部を本体に固定するための蓋固定部とを具備する。本発明の光配線用コネクタの本体は、蓋回転部を回動できるように支持する本体回転部と、蓋固定部と互いに固定しあうことができる本体固定部と、蓋固定部と本体固定部とが固定しあっているときに前記モジュール端子と接触するように形成された導電体とを具備する。そして、蓋部を開いた状態で光モジュールを保持部に挿入し、蓋部を閉じることで、モジュール端子と導電体とが電気的に接触し、かつ、本体固定部と蓋固定部とによって閉じた状態が維持される。
【０００８】
なお、保持部は、例えば、光モジュールの上面を覆う蓋上面、前記光モジュールの２つの側面を覆う２つの蓋側面、前記光モジュールの底面の一部と接触する蓋底面位置決め手段とを備えることで、光モジュールを保持すればよい。  
【発明の効果】
【０００９】
本発明の光配線用コネクタによれば、蓋部は本体に対して１つの回転軸を中心とした円運動ができる。したがって、蓋部を開いた状態で保持部に光モジュールを保持させ、蓋部を閉めることで、光モジュールは一定の軌道で本体に収容される。そして、モジュール端子は導電体と接触し、本体固定部と蓋固定部とによって閉じた状態（光モジュールを収容した状態）が維持される。
【００１０】
このように、光モジュールを収容するときの軌道を一定にできるので、導電体やモジュール端子などの変形や破損を防ぐことができる。
【図面の簡単な説明】
【００１１】
【図１】光モジュールの構成例を示す図。
【図２】実施例１の光配線用コネクタの蓋部を開いた状態を側面から見た図。
【図３】実施例１の光配線用コネクタの蓋部を閉じた状態を側面から見た図。
【図４】実施例１の光配線用コネクタの蓋部を閉じた状態を前面から見た図。
【図５】実施例２の光配線用コネクタの蓋部を閉じた状態の図。
【図６】実施例２の光配線用コネクタの蓋部を閉じた状態の図。
【図７】実施例２の光配線用コネクタの蓋部を閉じた状態の図。
【図８】実施例２の光配線用コネクタの蓋部を開いた状態の図。
【図９】実施例２の光配線用コネクタの蓋部を開いた状態で光モジュールを挿入したときの図。
【図１０】実施例２の光配線用コネクタの蓋部を開いた状態で光モジュールを挿入したときの図。
【図１１】実施例２のケースの構成例を示す図。
【図１２】実施例２のボディの構成例を示す図。
【図１３】実施例２のボディの構成例を示す図。
【図１４】実施例２のカバーの構成例を示す図。
【図１５】実施例２の蓋部の構成例を示す図。
【図１６】実施例２の蓋部の構成例を示す図。
【発明を実施するための形態】
【００１２】
以下、本発明の実施の形態について、詳細に説明する。なお、同じ機能を有する構成部には同じ番号を付し、重複説明を省略する。
【実施例１】
【００１３】
図１に光モジュールの例を示す。光モジュール９００は、光ファイバ９９０の先端に取り付けられており、電気的な入出力端子であるモジュール端子９２１−１〜６を備えている。また、接地用のモジュール端子９２２を備えてもよい。光モジュール９００の構造をさらに詳しく説明する。光モジュール９００の本体９１０は、前面９１４、後面９１５、上面９１１、底面９１３、２つの側面９１２−１、９１２−２を有する直方体状である。本体９１０の内部で光信号と電気信号とが変換される。また、後面９１５には光ファイバ９９０が接続され、前面９１４またはその近傍にモジュール端子を有する。図１では、前面９１４から光モジュール９００の先端方向に延伸した延伸部９２０に、モジュール端子９２１−１〜６、９２２を備えている。
【００１４】
図２〜図４に、実施例１の光配線用コネクタの構成例を示す。図２は、光配線用コネクタ２００の蓋部２４０を開いた状態を側面から見た図である。図２（Ａ）は光配線用コネクタ２００のみの側面図であり、図２（Ｂ）は光モジュール９００を挿入したときの側面図である。図３は、光配線用コネクタ２００の蓋部２４０を閉じた状態を側面から見た図である。図３（Ａ）は光配線用コネクタ２００のみの側面図であり、図３（Ｂ）は光モジュール９００を挿入したときの側面図である。図４は、光配線用コネクタ２００の蓋部２４０を閉じた状態を前面から見た図である。図４（Ａ）は光配線用コネクタ２００のみの前面から見た図であり、図４（Ｂ）は光モジュール９００を挿入したときの前面から見た図である。また、図４（Ｃ）は、光モジュール９００を挿入した状態で図３（Ｂ）のＡ−Ａ線で切断したときの断面図である。
【００１５】
光配線用コネクタ２００は、本体２１０と蓋部２４０から構成されている。蓋部２４０は、光モジュール９００を保持する保持部２４１と、本体に対する蓋部の角度を変更できるように形成された蓋回転部２４２−１、２４２−２と、蓋部２４０を本体２１０に固定するための蓋固定部２４７−１、２４７−２と、延伸部９２０を押える押圧部２４５を具備する。保持部２４１は、光モジュール９００の上面９１１を覆う蓋上面２４１−１、光モジュール９００の２つの側面９１２−１、９１２−２を覆う２つの蓋側面２４１−３、２４１−４、光モジュール９００の底面９１３の一部と接触する蓋底面位置決め手段２４１−５、２４１−６で形成されている。このような構造なので、光モジュール９００は保持部２４１に保持される。本体２１０は、蓋回転部２４２−１、２４２−２を回動できるように支持する本体回転部２２２−１、２２２−２と、蓋固定部２４７−１、２４７−２と互いに固定しあうことができる本体固定部２１１−１、２１１−２と、蓋固定部２４７−１、２４７−２と本体固定部２１１−１、２１１−２とが固定しあっているときにモジュール端子９２１−１〜６と接触するように形成された導電体２２１−１〜６と、光ファイバ９９０を保持する光ファイバガイド２１３とを具備する。なお、本実施例では導電体の数を６個とした例を示しているが、６個に限定するものではなく、この数は適宜変更すればよい。
【００１６】
光配線用コネクタ２００はこのような構成なので、蓋部２４０は本体２１０に対して１つの回転軸（回転軸は蓋回転部２４２−１、２４２−２と本体回転部２２２−１、２２２−２とで形成される）を中心とした円運動ができる。したがって、蓋部２４０を開いた状態で保持部２４１に光モジュール９００を保持させて蓋部２４０を閉めることで、光モジュール９００は一定の軌道で本体２１０に収容される。そして、モジュール端子９２１−１〜６は導電体２２１−１〜６と接触し、本体固定部２１１−１、２１１−２と蓋固定部２４７−１、２４７−２とによって閉じた状態（光モジュール９００を収容した状態）が維持される。
【００１７】
さらに、本実施例では、蓋回転部２４２−１、２４２−２および本体回転部２２２−１、２２２−２は、モジュール端子９２１−１〜６が収容される位置の近傍に形成している。したがって、蓋部２４０を閉じるときの力よりも十分に強い力で、モジュール端子９２１−１〜６を導電体２２１−１〜６に押さえつけることができるので、より確実に電気的な接続ができる。
【００１８】
蓋固定部２４７−１、２４７−２は保持部２４１の２つの蓋側面２４１−３、２４１−４に形成された２つの穴であり、本体固定部２１１−１、２１１−２は穴にそれぞれ挿入される２つの爪である。また、蓋固定部２４７−１、２４７−２と本体固定部２１１−１、２１１−２は回転軸から遠い位置に２つあるので、強い力が加わりにくく、蓋部２４０が開いてしまう可能性が低い。さらに、光ファイバガイド２１３を備えているので、外部から光ファイバ９９０に力が加わった場合でも、光モジュール９００に負荷が伝わりにくい。
【００１９】
蓋部２４０を導体で形成し、押圧部２４５が接地用のモジュール端子９２２と接触するように配置すれば、容易に接地用のコンタクトを確立できる。また、押圧部２４５があることで、モジュール端子９２１−１〜６を導電体２２１−１〜６に押さえつける力を、さらに所定の範囲にコントロールしやすい。所定の範囲とは、モジュール端子９２１−１〜６と導電体２２１−１〜６とを、長期的にかつ確実に電気的に接触させるために適した押さえつける力の範囲であり、具体的な範囲は適宜設計すればよい。さらに、導電体２２１−１〜６のモジュール端子９２１−１〜６と接触する部分が、すべて回転軸から等しい距離にあるので、すべての導電体２２１−１〜６とモジュール端子９２１−１〜６とを同じ力で押し付けることができる。
【実施例２】
【００２０】
本実施例では、実施例１の光配線用コネクタをさらに具体化する。図５〜図１６に、実施例２の光配線用コネクタの構成例を示す。図５〜図７は光配線用コネクタ１００の蓋部を閉じた状態の図である。図５（Ａ）は光配線用コネクタ１００を上面から見た図、図５（Ｂ）は光配線用コネクタ１００を側面から見た図、図５（Ｃ）は光配線用コネクタ１００を底面から見た図、図６（Ａ）は光配線用コネクタ１００を前面から見た図、図６（Ｂ）は光配線用コネクタ１００を後面から見た図、図６（Ｃ）は光配線用コネクタ１００を図５（Ａ）のＢ−Ｂ線で切断したときの断面図、図６（Ｄ）は光配線用コネクタ１００を図５（Ａ）のＣ−Ｃ線で切断したときの断面図、図７（Ａ）は光配線用コネクタ１００の上面と前面と側面を見た斜視図、図７（Ｂ）は光配線用コネクタ１００の底面と前面と側面を見た斜視図である。図８は光配線用コネクタ１００の蓋部を開いた状態の図である。図８（Ａ）は光配線用コネクタ１００を上面から見た図、図８（Ｂ）は光配線用コネクタ１００を側面から見た図、図８（Ｃ）は光配線用コネクタ１００の上面と後面と側面を見た斜視図である。
【００２１】
図９と図１０は、光配線用コネクタ１００の蓋部を開いた状態で光モジュール９００を挿入したときの図である。図９（Ａ）は光配線用コネクタ１００を上面から見た図、図９（Ｂ）は光配線用コネクタ１００の上面と後面と側面を見た斜視図、図１０（Ａ）は光配線用コネクタ１００を図９（Ａ）のＤ−Ｄ線で切断したときの断面図、図１０（Ｂ）は図１０（Ａ）の範囲Ｇを拡大した拡大断面図である。
【００２２】
光配線用コネクタ１００は、ケース１１０、ボディ１２０、導電体１２１−１〜６、カバー１３０、蓋部１４０で構成される。なお、光配線用コネクタ１００の本体（実施例１の光配線用コネクタ２００の本体２１０に相当する部分）は、ケース１１０、ボディ１２０、導電体１２１−１〜６、カバー１３０で構成される。また、蓋部１４０が、実施例１の光配線用コネクタ２００の蓋部２４０に相当する。さらに、本実施例では導電体の数を６個とした例を示しているが、６個に限定するものではなく、この数は適宜変更すればよい。
【００２３】
図１１に、ケース１１０の構成例を示す。図１１（Ａ）はケース１１０を上面から見た図、図１１（Ｂ）はケース１１０を側面から見た図、図１１（Ｃ）はケース１１０を底面から見た図、図１１（Ｄ）はケース１１０を図１１（Ｃ）のＥ−Ｅ線で切断したときの断面図である。ケース１１０は、例えば、りん青銅などの金属で形成すればよいが、これに限る必要はなく、メッキを施した材料を用いてもよい。ケース１１０は、本体固定部１１１−１、１１１−２、１１８−１、１１８−２（ただし、本体固定部１１８−１は、本体固定部１１８−２と反対側の側面にあり、図示されていない。）、ケース連結部１１２、１１５−１、１１５−２、光ファイバガイド１１３−１〜５、取付部１１４−１〜４などを有する。本体固定部１１１−１、１１１−２は爪の形状をしており、２つの側面の後面に近い位置にそれぞれ設けられている。本体固定部１１８−１、１１８−２は、ドーム状の穴であり、２つの側面にそれぞれ設けられている。ケース連結部１１２、１１５−１、１１５−２は、ボディ１２０と連結するための構成部であり、２つの側面をつなぐケース連結部１１２と、それぞれの側面の前面側に形成されたケース連結部１１５−１、１１５−２がある。光ファイバガイド１１３−１、１１３−２は後面がわの両側面をカールすることで形成されている。光ファイバガイド１１３−３、１１３−４は、光ファイバガイド１１３−１、１１３−２の対向する部分に形成された突起であり、光ファイバ９９０を保持する。光ファイバガイド１１３−５は、光ファイバガイド１１３−１、１１３−２を連結している。取付部１１４−１〜４は、側面の底面側を外側に湾曲させることで形成されており、基板などに光配線用コネクタ１００を取り付けるための構成部である。
【００２４】
図１２と図１３に、ボディ１２０の構成例を示す。図１２（Ａ）はボディ１２０を上面から見た図、図１２（Ｂ）はボディ１２０を後面から見た図、図１２（Ｃ）はボディ１２０を底面から見た図、図１３（Ａ）はボディ１２０を側面から見た図、図１３（Ｂ）はボディ１２０を前面から見た図である。ボディ１２０は、ＬＣＰ（Liquid Crystal Plastic）などの絶縁体で形成すればよい。ボディ１２０は、本体回転部１２２−１、１２２−２、ボディ連結部１２３−１、１２３−２、導電体挿入穴１２４−１〜６などを有する。本体回転部１２２−１、１２２−２は、２つの側面にそれぞれ設けられた円柱状の突起であり、組み立て易くするために、円柱の一部を切り欠いている。ボディ連結部１２３−１、１２３−２は、一部が切り欠かれた突起であり、２つの側面にそれぞれ設けられている。導電体挿入穴１２４−１〜６は、導電体１２１−１〜６を挿入するための穴であり、前面側から上面側に貫通した穴と、底面側に沿った貫通していない穴とで構成される（図１０参照）。また、図１０に示すように導電体１２１−３は、モジュール端子９２１−３と接触するモジュール側接触部１２１１−３、導電体１２１−３を固定するための固定用端部１２１２−３、外部と電気的に接触するための外部側接触部１２１３−３を備えている。図示されていないが、同様に、導電体１２１−１〜６は、モジュール端子９２１−１〜６と接触するモジュール側接触部１２１１−１〜６、導電体１２１−１〜６を固定するための固定用端部１２１２−１〜６、外部と電気的に接触するための外部側接触部１２１３−１〜６を備えている。モジュール側接触部１２１１−１〜６は、導電体挿入穴１２４−１〜６の上面側から突出しており、蓋部１４０が閉じた状態のときにモジュール端子９２１−１〜６と接触する。導電体１２１−１〜６を固定するための固定用端部１２１２−１〜６は、導電体挿入穴の底面に沿った貫通していない穴に挿入される。外部側接触部１２１３−１〜６は、導電体挿入穴１２４−１〜６の前面側の底面側から突出している。なお、モジュール側接触部１２１１−１〜６の下側と導電体挿入穴１２４−１〜６との間には隙間があるので、光配線用コネクタ１００や光モジュール９００に過度の付加が加わることを防ぐことができ、かつ、押さえつけられた導電体１２１−１〜６の持つ応力によって長期的に確実な接触を確保できる。
【００２５】
図１４に、カバー１３０の構成例を示す。図１４（Ａ）はカバー１３０を前面から見た図、図１４（Ｂ）はカバー１３０を上面から見た図、図１４（Ｃ）はカバー１３０を側面から見た図、図１４（Ｄ）はカバー１３０を後面から見た図である。カバー１３０は、ステンレスなどの材料を用いればよいが、これに限定する必要はない。カバー１３０は、カバー連結穴１３３−１、１３３−２（ただし、カバー連結穴１３３−２は、カバー連結穴１３３−１と反対側の側面にあり、図示されていない。）などを備えている。カバー連結穴１３３−１、１３３−２にボディ連結部１２３−１、１２３−２が嵌ることで、カバー１３０がボディ１２０に固定される。
【００２６】
図１５と図１６に、蓋部１４０の構成例を示す。図１５（Ａ）は蓋部１４０を上面から見た図、図１５（Ｂ）は蓋部１４０を前面から見た図、図１５（Ｃ）は蓋部１４０を側面から見た図、図１６（Ａ）は蓋部１４０を底面から見た図、図１６（Ｂ）は蓋部１４０を図１５（Ａ）のＦ−Ｆ線で切断したときの断面図である。蓋部１４０は、ステンレスなどの導電性の材料で形成すればよい。蓋部１４０は、蓋上面１４１−１、逃がし部１４１−２、蓋側面１４１−３、１４１−４、蓋底面位置決め手段１４１−５、１４１−６、光モジュールガイド１４１−７、１４１−８、蓋回転部１４２−１、１４２−２、押圧部１４５、光モジュール固定部１４６−１、１４６−２、蓋固定部１４７−１、１４７−２、１４８−１、１４８−２などを有する。そして、光モジュール９００の上面９１１を覆う蓋上面１４１−１、光モジュール９００の２つの側面９１２−１、９１２−２を覆う２つの蓋側面１４１−３、１４１−４、光モジュール９００の底面９１３の一部と接触する蓋底面位置決め手段１４１−５、１４１−６によって、保持部１４１が構成される（図６（Ｄ）参照）。このような構成なので、保持部１４１は、光モジュール９００を保持できる。なお、逃がし部１４１−２は、光モジュール９００の上面にある突起などに対応するために形成されている。逃がし部１４１−２は突起などの位置にあわせて適宜形成すればよいし、突起などがない場合には形成する必要はない。
【００２７】
蓋回転部１４２−１、１４２−２は、蓋部１４０の側面の前面側に形成されている。本実施例では、中心に本体回転部１２２−１、１２２−２を挿入するための円形の穴がある。したがって、蓋回転部１４２−１、１４２−２は、本体（ケース１１０、ボディ１２０、導電体１２１−１〜６、カバー１３０で構成される）に対する蓋部１４０の角度を変更できる。
【００２８】
蓋固定部１４７−１、１４７−２、１４８−１、１４８−２は、蓋部１４０を本体のケース１１０に固定するための構成部である。蓋固定部１４７−１、１４７−２は、蓋部１４０の側面の後面側に形成された矩形の穴であり、この穴に本体固定部１１１−１、１１１−２が挿入されることで、蓋部１４０が閉じた状態が維持される。また、蓋固定部１４８−１、１４８−２は、蓋部１４０の側面に形成された凸部であり、この凸部が本体固定部１１８−１、１１８−２の穴にはまる。
【００２９】
押圧部１４５は蓋部１４０の蓋上面１４１−１の前面側に形成されており、延伸部９２０を導電体１２１−１〜６側に押さえる。図１（Ａ）に示したように光モジュール９００の接地用のモジュール端子９２２が上面側にあるときは、押圧部１４５は接地用のモジュール端子９２２との接触の役割も果たす。
【００３０】
つまり、本体回転部１２２−１、１２２−２は、蓋回転部１４２−１、１４２−２を回動できるように支持する。本体固定部１１１−１、１１１−２、１１８−１、１１８−２は、蓋固定部１４７−１、１４７−２、１４８−１、１４８−２と互いに固定しあうことで、本体に蓋部１４０を固定する。導電体２２１−１〜６は、蓋固定部１４７−１、１４７−２、１４８−１、１４８−２と本体固定部１１１−１、１１１−２、１１８−１、１１８−２とが固定しあっているときに、モジュール端子９２１−１〜６と接触するように形成されている。光ファイバガイド１１３−１〜５は、光ファイバ９９０を保持する。
【００３１】
このような構成によって、蓋部１４０は本体に対して１つの回転軸（回転軸は蓋回転部１４２−１、１４２−２と本体回転部１２２−１、１２２−２とで形成される）を中心とした円運動ができる。したがって、蓋部１４０を開いた状態で保持部１４１に光モジュール９００を保持させて蓋部１４０を閉めることで、光モジュール９００は一定の軌道で本体のケース１１０に収容される。そして、モジュール端子９２１−１〜６は導電体１２１−１〜６と接触し、本体固定部１１１−１、１１１−２、１１８−１、１１８−２と蓋固定部１４７−１、１４７−２、１４８−１、１４８−２とによって閉じた状態（光モジュール９００を収容した状態）が維持される。
【００３２】
さらに、蓋回転部１４２−１、１４２−２および本体回転部１２２−１、１２２−２は、モジュール端子９２１−１〜６が収容される位置の近傍に形成されている。したがって、蓋部１４０を閉じるときの力よりも十分に強い力で、モジュール端子９２１−１〜６を導電体１２１−１〜６に押さえつけることができるので、より確実に電気的な接続ができる。
【００３３】
蓋固定部１４７−１、１４７−２は、保持部１４１の２つの蓋側面１４１−３、１４１−４に形成された２つの穴であり、本体固定部２１１−１、２１１−２は、穴にそれぞれ挿入される２つの爪である。また、蓋固定部２４７−１、２４７−２と本体固定部２１１−１、２１１−２は回転軸から遠い位置に２つあるので、強い力が加わりにくい。したがって、何かの付加によって蓋部２４０が開いてしまう可能性が低い。さらに、光ファイバガイド１１３−１〜５を備えているので、外部から光ファイバ９９０に力が加わった場合でも、光モジュール９００に負荷が伝わりにくい。
【００３４】
蓋部１４０を、メッキを施していない導体で形成し、押圧部２４５が接地用のモジュール端子９２２と接触するように配置すれば、容易に接地用のコンタクトを確立できる。また、押圧部１４５があることで、モジュール端子９２１−１〜６を導電体１２１−１〜６に押さえつける力を、さらに所定の範囲にコントロールしやすい。所定の範囲とは、モジュール端子９２１−１〜６と導電体１２１−１〜６とを、長期的にかつ確実に電気的に接触させるために適した押さえつける力の範囲であり、具体的な範囲は適宜設計すればよい。さらに、導電体１２１−１〜６のモジュール端子９２１−１〜６と接触する部分が、すべて回転軸から等しい距離にあるので、すべての導電体１２１−１〜６とモジュール端子９２１−１〜６とを同じ力で押し付けることができる。
【符号の説明】
【００３５】
１００  光配線用コネクタ                    １１０  ケース
１１１−１、２  本体固定部                  １１２  ケース連結部
１１３−１〜５  光ファイバガイド            １１４−１〜４  取付部
１１５−１、２  ケース連結部                １１８−１、２  本体固定部
１２０  ボディ                              １２１−１〜６  導電体
１２１１−１〜６  モジュール側接触部        １２１２−１〜６  固定用端部
１２１３−１〜６  外部側接触部              １２２−１、２  本体回転部
１２３−１、２  ボディ連結部                １２４−１〜６  導電体挿入穴
１３０  カバー                              １３３−１、２  カバー連結穴
１４０  蓋部                                １４１  保持部
１４１−１  蓋上面                          １４１−２  逃がし部
１４１−３、４  蓋側面                      １４１−５、６  蓋底面位置決め手段
１４１−７、８  光モジュールガイド          １４２−１、２  蓋回転部
１４５  押圧部                              １４６−１〜４  光モジュール固定部
１４７−１、２  蓋固定部                    １４８−１、２  蓋固定部
２００  光配線用コネクタ                    ２１０  本体
２１１−１、２  本体固定部                  ２１３  光ファイバガイド
２２１−１〜６  導電体                      ２２２−１、２  本体回転部
２４０  蓋部                                ２４１−１  蓋上面
２４１−３、４  蓋側面                      ２４１−５、６  蓋底面位置決め手段
２４１  保持部                              ２４２−１、２  蓋回転部
２４５  押圧部                              ２４７−１、２  蓋固定部
９００  光モジュール                        ９１０  本体
９１１  上面                                ９１２−１、２  側面
９１３  底面                                ９１４  前面
９１５  後面                                ９２０  延伸部
９２１−１〜６  モジュール端子              ９２２  モジュール端子
９９０  光ファイバ
【図１】
2010170862.tif 000003
【図２】
2010170862.tif 000004
【図３】
2010170862.tif 000005
【図４】
2010170862.tif 000006
【図５】
2010170862.tif 000007
【図６】
2010170862.tif 000008
【図７】
2010170862.tif 000009
【図８】
2010170862.tif 000010
【図９】
2010170862.tif 000011
【図１０】
2010170862.tif 000012
【図１１】
2010170862.tif 000013
【図１２】
2010170862.tif 000014
【図１３】
2010170862.tif 000015
【図１４】
2010170862.tif 000016
【図１５】
2010170862.tif 000017
【図１６】
2010170862.tif 000018